(57)【要約】【課題】  椅子の背部を構成する芯材において、板状部材の面内における特定部位の負荷集中を回避して割れ等を回避することのできる耐久性を備えた椅子の背部芯材構造を提供すること。【解決手段】  左右両側に支持脚１１の上端部を連結するための連結部２４が形成された板状部材２１と、当該板状部材２１の面内に配置された補強部２２とを備えて芯材２０が構成されている。補強部２２は、連結部の上端部から板状部材の上部外縁側を回って延びる外側補強部２２Ａと、連結部の内側に沿う内側補強部２２Ｂと、当該内側補強部２２Ｂの上部延長線上に位置する延長補強部２２Ｅとを含み、更に、外側補強部２２Ａと延長補強部２２Ｅとの間にリブ２５が設けられている。【選択図】          図２
2005143932.tif 000002
【特許請求の範囲】
【請求項１】
外面側が表装材で覆われる椅子の背部芯材構造において、
前記芯材は、左右両側に所定の支持体の連結部が形成された板状部材と、この板状部材の面内に設けられた補強部とを備え、
前記補強部は、前記連結部の内側に沿う内側補強部と、この内側補強部の略上方延長線上に設けられた延長補強部とを備えていることを特徴とする椅子の背部芯材構造。
【請求項２】
前記板状部材には、当該板状部材の外周縁に沿う外側補強部が設けられ、前記延長補強部と当該延長補強部に沿う外側補強部との間にはリブが設けられていることを特徴とする請求項１記載の椅子の背部芯材構造。
【請求項３】
前記板状部材には、当該板状部材の外周縁に沿う外側補強部が設けられ、前記延長補強部は、その上端部が前記外側補強部に連なることを特徴とする請求項１又は２記載の椅子の背部芯材構造。
【請求項４】
前記内側補強部と延長補強部は一連に連なることを特徴とする請求項１，２又は３記載の椅子の背部芯材構造。
【請求項５】
前記内側補強部と延長補強部は、それぞれ独立して不連続に設けられていることを特徴とする請求項１，２又は３記載の椅子の背部芯材構造。
【発明の詳細な説明】
【技術分野】
【０００１】
本発明は椅子の背部芯材構造に係り、更に詳しくは、椅子に着座した者が後方に凭れかかることで負荷が加えられたときの耐久性を向上させることのできる椅子の背部芯材構造に関する。
【背景技術】
【０００２】
従来より、いわゆるインナーシェルと称する合成樹脂性の板状部材を芯材とし、この芯材の外面側にウレタン等のクッション材を介してクロス材若しく皮革製の表装材でカバーされた椅子の背部が知られている。
図６には、椅子の背部を構成する従来の芯材を背面側から見た場合の概略斜視図が示されている。同図において、合成樹脂材料によって一体成形された芯材５０は、図示しない椅子の座部に着座したときの、当該着座者の腰部から背部中間領域を支えることのできる平面形状を備えた板状部材５１と、この板状部材５１の背面側（図中手前側）の面内に設けられた補強部５２と、板状部材５１の左右両側の下部領域に設けられた連結部５３，５３とを備えて構成されている。
補強部５２は、その横断面形状が略凹状をなし、板状部材５１の外周に沿って連続的に延びる状態で設けられている。この補強部５２は、左右一対の連結部５３の上端から上方に延びて板状部材５１の上縁を回って連続して延びる外側補強部５２Ａと、連結部５３，５３の内側に位置して当該連結部５３，５３に沿う内側補強部５２Ｂ，５２Ｂと、これら内側補強部５２Ｂ，５２Ｂの各上端部と前記外側補強部５２Ａの左右各下端部との間に連なる中間補強部５２Ｃ，５２Ｃと、前記内側補強部５２Ｂ，５２Ｂの下端部間に連なって板状部材５１の下縁に沿う下部補強部５２Ｄとからなる。
なお、前記連結部５３，５３には、図示しない椅子の後部側に位置する支持脚の上端部が連結されるようになっている。
【発明の開示】
【発明が解決しようとする課題】
【０００３】
前述した芯材５０を含む椅子の背部は、適宜なクッション性を着座者に与えるとともに、補強部５２の存在により、一定の剛性を付与することができるが、着座者が後方へ反り返る姿勢をとったときの負荷が、前記中間補強部５２Ｃを中心とした領域に強くかかる傾向をもたらし、当該領域における芯材の割れを惹起する、という不都合がある。
【０００４】
そこで、本発明者は、鋭意検討の結果、前記連結部５３との対応関係において、前記内側補強部５２Ｂの長さに起因して中間補強部５２Ｃ辺りに集中した負荷が生ずることを知見した。
【０００５】
［発明の目的］
本発明は、前述した不都合に着目した種々の実験結果による知見に基づいて案出されたものであり、その目的は、板状部材の面内における補強部のレイアウトに独特な工夫を行うことにより、局所的な負荷集中を回避して芯材の割れ等を回避することのできる耐久性を備えた椅子の背部芯材構造を提供することにある。
【課題を解決するための手段】
【０００６】
前記目的を達成するため、本発明は、外面側が表装材で覆われる椅子の背部芯材構造において、
前記芯材は、左右両側に所定の支持体の連結部が形成された板状部材と、この板状部材の面内に設けられた補強部とを備え、
前記補強部は、前記連結部の内側に沿う内側補強部と、この内側補強部の略上方延長線上に設けられた延長補強部とを備える、という構成を採っている。
【０００７】
本発明において、前記板状部材には、当該板状部材の外周縁に沿う外側補強部が設けられ、前記延長補強部と当該延長補強部に沿う外側補強部との間にはリブが設けられる、という構成を採ることができる。
【０００８】
また、前記板状部材には、当該板状部材の外周縁に沿う外側補強部が設けられ、前記延長補強部は、その上端部が前記外側補強部に連なる、という構成も採ってもよい。
【０００９】
更に、前記内側補強部と延長補強部は一連に連なる構成、或いは、それぞれ独立して不連続となる構成を採用することができる。
【発明の効果】
【００１０】
本発明によれば、連結部の上端部よりも更に上方に延長補強部が存在する構成とされているため、連結部の直近上部側に生ずる負荷集中を内側補強部と延長補強部に分散させることができるようになり、これにより、従来のような芯材の割れを防止することが可能となる。
また、外側補強部を設けた構成によれば、前記延長補強部の存在と相俟って負荷集中を一層分散させることができるようになり、しかも、板状部材の外周側の強度も増大させることが可能となる。
更に、外側周補強部と延長補強部との間にリブを設けたり、或いは、延長補強部の上端を外側補強部に連なるように設ける構成により、板状部材の面剛性が更に高められることとなり、前述した割れ防止を更に効果的に達成することができる。
【発明を実施するための最良の形態】
【００１１】
以下、本発明の好ましい実施の形態について図面を参照しながら説明する。
［第１実施形態］
図１には、第１実施形態における椅子の概略斜視図が示され、図２には、背部を構成する芯材を背面側から見た概略斜視図が示されている。これらの図において、椅子１０は、支持体を構成する支持脚１１と、当該支持脚１１の上部横行フレーム１１Ａに固定された座部１２と、支持脚１１の上端部に固定された背部１３とにより構成されている。座部１２及び背部１３は板状をなす芯材の外面側にウレタン等のクッション材を配して表装材によってカバーされている。
【００１２】
図２に示されるように、背部１３を構成する芯材２０は合成樹脂材料により一体成形されている。この芯材２０は、板状部材２１と、当該板状部材２１の面内に形成された補強部２２とからなる。板状部材２１の左右両側において、上下方向中間部より下方に向かう領域は、前記支持脚１１の上端部への連結部２４として形成されている。この連結部２４は、その面内に穴２４Ａが上下二箇所に形成されており、当該穴２４Ａを利用して支持脚１１の上端部と相互にボルト連結される。
【００１３】
前記補強部２２は、図３に示されるように、横断面形状が略凹状をなし、板状部材２１の外周に沿って連続的に延びる状態で設けられている。ここで、凹状をなす補強部２２の凹みは、板状部材２１の前面側に表れる一方、凸状は背面側に表れることとなる。この補強部２２は、左右一対の連結部２４の各上端から上方に延び、板状部材２１の上縁を回って連続して延びる外側補強部２２Ａと、連結部２４，２４の内側に位置して当該連結部２４，２４に沿う内側補強部２２Ｂ，２２Ｂと、これら内側補強部２２Ｂ，２２Ｂの各上端部と前記外側補強部２２Ａの左右各下端部との間に連なる中間補強部２２Ｃ，２２Ｃと、前記内側補強部２２Ｂ，２２Ｂの下端部間に連なって板状部材２１の下縁に沿う下部補強部２２Ｄと、内側補強部２２Ｂ，２２Ｂの略延長線上の上方に連なる延長補強部２２Ｅとにより構成されている。
【００１４】
延長補強部２２Ｅの延出長さは、前記中間補強部２２Ｃと板状部材２１の上端との間の寸法の約１／２程度に設けられ、これにより、中間補強部２２Ｃ辺りに生ずる負荷を上下に分散させて吸収する領域が確保できるようになっている。延長補強部２２Ｅと、これに略平行に隣り合う外側補強部２２Ａとの間には、複数のリブ２５がジグザグ状に形成され、これらのリブ２５が外側補強部２２Ａと延長補強部２２Ｅとの間の領域における捻れや屈曲等に対する剛性を強化するようになっている。
【００１５】
このように構成された芯材２０を有する背部１３を備えた椅子１０は、着座する者の後方への反り返りによって前記中間補強部２２Ｃに負荷が集中するが、当該負荷は、前述した延長補強部２２Ｅに拡がる傾向をもたらす結果、中間補強部２２Ｃ辺りの樹脂割れ等を効果的に防止することができる。
【００１６】
［第２実施形態］
図４及び図５には、本発明の第２実施形態が示されている。この第２実施形態は、補強部２２の幅を狭くするとともに、第１実施形態における中間補強部を省略したところに特徴を有するものである。すなわち、補強部２２は、外側補強部２２Ａ、内側補強部２２Ｂ、下部補強部２２Ｄ及び延長補強部２２Ｅにより構成されている。外側補強部２２Ａと延長補強部２２Ｅ間のリブ２５は、相互に略平行となるように設けられている。また、補強部２２は、第１実施形態のように一連に連なる形状でなく、それぞれ独立して不連続となる、一定の長さ毎に断続的に配置されている。
その他の構成は、実質的に、第１実施形態と同様である。
【００１７】
このような第２実施形態によっても、第１実施形態と同様の効果を得ることができる他、中間補強部を省略したことで、連結部２４の上端側付近の領域における撓みを適度に生じさせつつ負荷集中を分散でき、当該領域の割れを防止することができる。
【００１８】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、当業者が様々な変形を加えることができるものである。
従って、上記に開示した構成は、本発明の理解を容易にするために例示的に記載したものであり、本発明を限定するものではなく、例えば、補強部２２の幅は、必要に応じて種々変更することができる。
また、内側補強部２２Ｂ及び延長補強部２２Ｅを設けている限り、外側補強部２２Ａや下部補強部２２Ｄは、省略してもよい。更に、外側補強部２２Ａ、内側補強部２２Ｂ、中間補強部２２Ｃ、下部補強部２２Ｄ及び延長補強部２２Ｅは、一条に延びる形状でなくともよく、それぞれ複数列若しくは複数本としてもよい。
更に、延長補強部２２Ｅは、板状部材２１の上縁に沿う外側補強部２２Ａに連なる長さ若しくは高さにしたり、或いは、リブを介して連続させるようにしてもよい。
要するに、本発明は、連結部２４の上端部領域における負荷集中を適度に分散させて当該領域における芯材２０の割れを防止することができる構成であれば足りる。
【図面の簡単な説明】
【００１９】
【図１】第１実施形態に係る椅子の概略斜視図。
【図２】第１実施形態における芯材を背面側から見た概略斜視図。
【図３】図２のＡ−Ａ線矢視拡大端面図。
【図４】第２実施形態における芯材を背面側から見た概略斜視図。
【図５】図４のＢ−Ｂ線矢視拡大端面図。
【図６】従来の芯材を示す概略斜視図。
【符号の説明】
【００２０】
１０  椅子
１１  支持脚（支持体）
１３  背部
２０  芯材
２１  板状部材
２２  補強部
２２Ａ  外側補強部
２２Ｂ  内側補強部
２２Ｃ  中間補強部
２２Ｄ  下部補強部
２２Ｅ  延長補強部
２４  連結部
【図１】
2005143932.tif 000003
【図２】
2005143932.tif 000004
【図３】
2005143932.tif 000005
【図４】
2005143932.tif 000006
【図５】
2005143932.tif 000007
【図６】
2005143932.tif 000008